(57)【特許請求の範囲】
【請求項１】
マガジン本体を第１ケースと第２ケースとから成る開閉可能な分割構造に構成し、ロール状の感光材料の中空芯材に巻き芯を挿通させた状態で、前記巻き芯を回転自在に両持ち支持及び支持解除可能な巻き芯支持部を前記第１ケースと第２ケースとの分割部に設け、前記ロール状の感光材料をその幅方向外方側から受け止める位置決め作用体を、前記第２ケースにその底部側から前記巻き芯支持部を越える箇所まで立ち上がる状態に設けてある写真処理機における感光材料収容マガジンであって、
前記第１ケースを第２ケースに対して開放するとともに、前記第２ケースをその底部側を下にした巻き芯装着用姿勢に設定した状態で、前記巻き芯を前記第２ケース側の巻き芯支持部部分に案内可能な案内面を前記位置決め作用体に形成してある写真処理機における感光材料収容マガジン。
【請求項２】
前記巻き芯装着用姿勢に設定した状態で、前記巻き芯の軸芯方向に対応する方向から見て、前記案内面は、その上端側ほど前記第２ケースの巻き芯支持部部分の横外方側に対応する側に離れて位置する傾斜面に形成してある請求項１記載の写真処理機における感光材料収容マガジン。
【請求項３】
前記巻き芯支持部を挟んで前記位置決め作用体の案内面とは反対側の第２ケースの分割部に、前記巻き芯を前記第２ケース側の巻き芯支持部部分に案内可能な補助案内面を形成し、前記巻き芯装着用姿勢に設定した状態で、前記巻き芯の軸芯方向に対応する方向から見て、前記補助案内面は、その上端側ほど前記第２ケースの巻き芯支持部部分の横外方側に対応する側に離れて位置する傾斜面に形成してある請求項２記載の写真処理機における感光材料収容マガジン。
【請求項４】
前記位置決め作用体は、その底部を前記マガジン本体の底部に取り付け、前記位置決め作用体の立ち上がり方向で前記位置決め作用体の底部とは離れた所定の位置決め作用体部分を前記マガジン本体に支持させてある請求項１，２，３のいずれか一つに記載の写真処理機における感光材料収容マガジン。
【発明の詳細な説明】
【０００１】
【発明の属する技術分野】
本発明は、マガジン本体を第１ケースと第２ケースとから成る開閉可能な分割構造に構成し、ロール状の感光材料の中空芯材に巻き芯を挿通させた状態で、前記巻き芯を回転自在に両持ち支持及び支持解除可能な巻き芯支持部を前記第１ケースと第２ケースとの分割部に設け、前記ロール状の感光材料をその幅方向外方側から受け止める位置決め作用体を、前記第２ケースにその底部側から前記巻き芯支持部を越える箇所まで立ち上がる状態に設けてある写真処理機における感光材料収容マガジンに関する。
【０００２】
【従来の技術】
この種の写真処理機における感光材料収容マガジンにオペレータがロール状の感光材料を装着する場合、暗袋内に第１及び第２ケース・ロール状の感光材料・巻き芯を収容し、ロール状の感光材料の中空芯材に巻き芯を挿通させ、第１ケースを第２ケースに対して開放させるとともに、第２ケースをその底部側を下にした巻き芯装着用姿勢に設定した状態で、巻き芯を第２ケース側の巻き芯支持部部分に嵌合支持させ、その後に第１ケースを閉塞している。
【０００３】
従来、第２ケース側の巻き芯支持部部分に前記巻き芯を嵌合させるのに、オペレータが暗袋内の前記巻き芯支持部部分の位置を手さぐりで探し出し、巻き芯を巻き芯支持部部分に上方から下ろして嵌合支持させていた。
【０００４】
【発明が解決しようとする課題】
しかしながら、上記従来の技術によれば、前記巻き芯支持部部分に巻き芯を嵌合させる作業を暗袋内で手さぐりで行うために、巻き芯を巻き芯支持部部分に嵌合支持させるのに手間がかかっていた。
【０００５】
本発明の目的は、感光材料の中空芯材に挿通させた巻き芯を第２ケース側の巻き芯支持部部分に支持させる作業を簡単に行うことができるようにする点にある。
【０００６】
【課題を解決するための手段】
請求項１による発明の構成・作用・効果は次の通りである。
【０００７】
［構成］
冒頭に記載した写真処理機における感光材料収容マガジンにおいて、前記第１ケースを第２ケースに対して開放するとともに、前記第２ケースをその底部側を下にした巻き芯装着用姿勢に設定した状態で、前記巻き芯を前記第２ケース側の巻き芯支持部部分に案内可能な案内面を前記位置決め作用体に形成してある。
【０００８】
［作用］
オペレータが感光材料収容マガジンにロール状の感光材料を装着する場合、例えば、暗袋内に第１及び第２ケース・ロール状の感光材料・巻き芯を収容し、ロール状の感光材料の中空芯材に巻き芯を挿通させ、感光材料収容マガジンを前記巻き芯装着用姿勢に設定した状態で、巻き芯を位置決め作用体側の案内面に案内させながら、第２ケース側の巻き芯支持部部分に送って支持させることができる（なお、第１及び第２ケース等を暗袋に収容することなく、上記の作業を暗室内で行うこともできる）。
【０００９】
前記位置決め作用体は、第２ケースの分割部よりもケース内方側に位置しているから、例えば第２ケースの分割部に前記案内面を形成した構造に比べると、巻き芯の長手方向中央部側を案内することができて、巻き芯を安定的に案内することができる。
【００１０】
［効果］
従って、感光材料の中空芯材に挿通させた巻き芯を位置決め作用体側の案内面に安定的に案内させながら、第２ケース側の巻き芯支持部部分に送って支持させることができるから、巻き芯を第２ケース側の巻き芯支持部部分に支持させる作業を簡単に行うことができるようになった。
【００１１】
請求項２による発明の構成・作用・効果は次の通りである。
【００１２】
［構成］
請求項１による発明の構成において、前記巻き芯装着用姿勢に設定した状態で、前記巻き芯の軸芯方向に対応する方向から見て、前記案内面は、その上端側ほど前記第２ケースの巻き芯支持部部分の横外方側に対応する側に離れて位置する傾斜面に形成してある。
【００１３】
［作用］
請求項１の構成による作用と同様の作用を奏することができるのに加え、次の作用を奏することができる。
【００１４】
前記巻き芯装着用姿勢に設定した状態で、前記巻き芯の軸芯方向に対応する方向から見て、前記案内面は、その上端側ほど第２ケースの巻き芯支持部部分の横外方側に対応する側に離れて位置する傾斜面に形成してあるから、オペレータが巻き芯を第２ケースの巻き芯支持部部分の上方側から下ろしたときに、巻き芯が巻き芯支持部部分の真上から横方向に位置ずれすると位置決め作用体の案内面に当たりやすい。
【００１５】
巻き芯が案内面に当たると、そのまま巻き芯を案内面に案内させて、第２ケース側の巻き芯支持部部分側に送り込むことができる。
【００１６】
［効果］
従って、感光材料の中空芯材に挿通させた巻き芯を位置決め作用体側の傾斜した案内面に安定的に案内させながら、第２ケース側の巻き芯支持部部分に送って支持させることができるから、巻き芯を第２ケース側の巻き芯支持部部分に支持させる作業をより簡単に行うことができるようになった。
【００１７】
請求項３による発明の構成・作用・効果は次の通りである。
【００１８】
［構成］
請求項２による発明の構成において、前記巻き芯支持部を挟んで前記位置決め作用体の案内面とは反対側の第２ケースの分割部に、前記巻き芯を前記第２ケース側の巻き芯支持部部分に案内可能な補助案内面を形成し、前記巻き芯装着用姿勢に設定した状態で、前記巻き芯の軸芯方向に対応する方向から見て、前記補助案内面は、その上端側ほど前記第２ケースの巻き芯支持部部分の横外方側に対応する側に離れて位置する傾斜面に形成してある。
【００１９】
［作用］
請求項２の構成による作用と同様の作用を奏することができるのに加え、次の作用を奏することができる。
【００２０】
前記巻き芯装着用姿勢に設定した状態で、前記巻き芯の軸芯方向に対応する方向から見て、前記補助案内面は、その上端側ほど前記第２ケースの巻き芯支持部部分の横外方側に対応する側に離れて位置する傾斜面に形成してあるから、オペレータが巻き芯を第２ケースの巻き芯支持部部分の上方側から下ろしたときに、巻き芯が巻き芯支持部部分の真上から横方向に位置ずれすると、位置決め作用体側の案内面か前記補助案内面に当たりやすい。
【００２１】
巻き芯が前記案内面か補助案内面に当たると、そのまま巻き芯を案内面か補助案内面に案内させて、第２ケース側の巻き芯支持部分側に送り込むことができる。
【００２２】
［効果］
従って、請求項２の構成による効果と同様の効果をより得やすくなった。
【００２３】
請求項４による発明の構成・作用・効果は次の通りである。
【００２４】
［構成］
請求項１，２，３のいずれか一つによる発明の構成において、前記位置決め作用体は、その底部を前記マガジン本体の底部に取り付け、前記位置決め作用体の立ち上がり方向で前記位置決め作用体の底部とは離れた所定の位置決め作用体部分を前記マガジン本体に支持させてある。
【００２５】
［作用］
請求項１，２，３のいずれか一つの構成による作用と同様の作用を奏することができるのに加え、次の作用を奏することができる。
【００２６】
位置決め作用体の底部をマガジン本体の底部に取り付け、位置決め作用体の立ち上がり方向で前記位置決め作用体の底部とは離れた所定の位置決め作用体部分を前記マガジン本体に支持させてあるから、巻き芯の重さで位置決め作用体が感光材料の幅方向に対応する方向にたわみむのを抑制することができ、安定的に案内することができる。
【００２７】
［効果］
従って、請求項１，２，３のいずれか一つの構成による効果と同様の効果を奏することができるのに加え、位置決め作用体の耐久性を向上させることができるとともに、位置決め作用体による感光材料の位置決め精度の低下を抑制することができた。
【００２８】
【発明の実施の形態】
以下、本発明の実施の形態を図面に基づいて説明する。
【００２９】
図１に写真処理機１を示してある。この写真処理機１は、マガジン台３を写真処理機本体４に設け、ロール状の印画紙２（感光材料に相当）を収容する第１マガジン５と第２マガジン６（共に感光材料収容マガジンに相当）とをマガジン台３に横方向に並設するとともに、印画紙２を搬送する搬送装置８を設け、印画紙２を第１マガジン５から繰り出す状態と、第２マガジン６から繰り出す状態とに切り換え自在に構成し、第１マガジン５と第２マガジン６からの印画紙２を切断するカッター２３を設け、切断された印画紙２を焼付処理する画像形成部７を第１マガジン５の下方側に配設して構成してある。
【００３０】
前記画像形成部７は、印画紙２を一定速度で搬送させながらデジタル画像を１ラインごとに順次露光形成していくもので、ＤＭＤ（デジタル・ミラー・デバイス）やレーザー露光装置やＣＲＴ露光装置などがある。
【００３１】
次に、前記第１マガジン５について説明する（第２マガジン６は第１マガジン５と同一構造であるのでその説明は省略する）。
【００３２】
図２，図３，図４に示すように、前記第１マガジン５はマガジン本体３６を上ケース２０（第１ケースに相当）と下ケース１９（第２ケースに相当）とに分割するとともに、上ケース２０と下ケース１９とを印画紙排出口１１側の横軸芯Ｐ周りに揺動開閉自在に連結した２分割構造に構成してある。
【００３３】
そして、ロール状の印画紙２の中空芯材１７（図２参照）に巻き芯１８を挿通させた状態で、巻き芯１８を回転自在に両持ち支持及び支持解除可能な巻き芯支持部１２を上ケース２０と下ケース１９との分割部に設けてある。
【００３４】
前記巻き芯１８は、支軸（図示せず）の両端部に六角形状の嵌合体４２をそれぞれ同芯状に設け、印画紙２側の中空芯材１７に対する外筒を支軸に対して回転自在に設けて構成してある。
【００３５】
前記巻き芯支持部１２は、上ケース２０の左右一対の分割部の内壁側に、嵌合体４２の２分の１の大きさの嵌合体部分を嵌合させる嵌合凹部４３（巻き芯支持部部分に相当）をそれぞれ形成するとともに、下ケース１９の左右一対の分割部の内壁側に、嵌合体４２の２分の１の大きさの嵌合体部分を嵌合させる嵌合凹部４３（巻き芯支持部部分に相当）をそれぞれ形成して構成してある。
【００３６】
つまり、写真処理機本体４から取り外した第１マガジン５にオペレータがロール状の印画紙２を装着する場合、暗袋内に上下のケース２０，１９・ロール状の印画紙２・巻き芯１８を収容し、ロール状の印画紙２の中空芯材１７に巻き芯１８を挿通させ、上ケース２０を下ケース１９に対して開放させるとともに、下ケース１９をその底部側を下にした巻き芯装着用姿勢に設定した状態（図３，図４参照）で、巻き芯１８の嵌合体４２の下半分を下ケース１９側の嵌合凹部４３に嵌合支持させ、その後に上ケース２０を閉塞して、巻き芯１８の嵌合体４２の上半分を上ケース２０側の嵌合凹部４３に嵌合支持させる。
【００３７】
前記印画紙排出口１１側に第１駆動ローラ９と第１圧着ローラ１０とから成る第１ローラ機構２４を設け、第２駆動ローラ３２をロール状の印画紙２の外周に当てつけた状態で駆動回転させる第２ローラ機構３３を、ロール状の印画紙２の縮径に伴ってその径方向内方側に追従移動可能に設けて、第１及び第２ローラ機構２４，３３のローラの正逆の回転で印画紙２を繰り出し・巻き戻すよう構成してある。
【００３８】
前記第２駆動ローラ３２は、ベルト伝動機構３５を介して第１ローラ機構２４と共通の駆動部により駆動回転する。また、第２駆動ローラ３２はばね（図示せず）によりロール状の印画紙２の外周部に圧接させてある。
【００３９】
前記下ケース１９の印画紙排出口１１の近傍に、前記印画紙排出口１１に印画紙２を案内するガイドベース１５（感光材料ガイド部材に相当）を取り付けてある。
【００４０】
図２，図３，図４，図５に示すように、前記上下のケース２０，１９内のロール状の印画紙２をその幅方向外方側から受け止める左右一対の板状のロールペーパーガイド１６（位置決め作用体に相当）を、位置変更機構２１を介して印画紙２の幅方向に対応する方向に位置変更調節可能に下ケース１９に、その底部から前記巻き芯支持部１２を越える箇所まで立ち上がる状態に設けて、幅の異なった複数の印画紙２ごとに、ロールペーパーガイド１６の位置を変更調節することで、前記複数の印画紙２をその幅方向で位置決め可能に構成してある。
【００４１】
前記ロールペーパーガイド１６は、ロール状の印画紙２の印画紙排出口１１に近い側の側面部分（全側面の約３分の１の大きさである）に対応させて円弧状に形成してあり、印画紙２に対する板状の印画紙受け止め部２２を、下ケース１９の底部２６に対する板状の取り付け部２５（底部に相当）から立ち上げ形成して、前記取り付け部２５を下ケース１９の底部２６にボルト２８で固定してある。
【００４２】
前記ロールペーパーガイド１６の形状と、上下のケース２０，１９の分割部の形状とについては後でさらに詳しく説明する。
【００４３】
前記ロールペーパーガイド１６の立ち上がり方向でロールペーパーガイド１６の取り付け部２５とは離れたロールペーパーガイド部分２７（位置決め作用体部分に相当）を、前記ガイドベース１５を介して下ケース１９に支持させてある。
【００４４】
前記ガイドベース１５とロールペーパーガイド部分２７との支持連結構造は係合連結構造に構成してある。
【００４５】
詳しくは、ガイドベース１５の後端部の左半分側と右半分側とに、複数の三角溝状の係合溝２９を、印画紙２の幅方向に対応する方向に並ぶ状態に形成し、前記複数の係合溝２９のうちの選択された一つの係合溝２９に係合する三角係合凸部３０（図６，図７参照）を前記ロールペーパーガイド部分２７に形成してある。
【００４６】
前記下ケース１９の底部２６の左半分側と右半分側とに、前記ボルト２８に対する複数の雌ねじ部３１を、印画紙２の幅方向に対応する方向にほぼ一列に並ぶ状態に形成してある。
【００４７】
前記下ケース１９の底部２６の左半分側と右半分側とに、印画紙２の長手方向に対応する方向に沿う複数の溝部３８から成る溝群をそれぞれ形成するとともに、ロールペーパーガイド１６の取り付け部２５の低面側に、いずれかの溝部３８を選択してその溝部３８の内壁に当接する係止凸部３７（図７参照）を、印画紙２の長手方向に対応する方向に沿う状態に突設してある。
【００４８】
前記複数の雌ねじ部３１と複数の係合溝２９と複数の溝部３８とで前記位置変更機構２１を構成している。
【００４９】
つまり、ロールペーパーガイド１６を位置変更調節するときは、複数の溝部３８から一つの溝部３８を選択して、その内壁に前記係止凸部３７を当接させ、前記一つの溝部３８に対応する一つの雌ねじ部３１を複数の雌ねじ部３１から選択して、これにボルト２８を螺合させるとともに、前記一つの溝部３８及び一つの雌ねじ部３１に対応する一つの係合溝２９を複数の係合溝２９から選択して、これに三角係合凸部３０を係合させる。
【００５０】
図２，図３，図６，図７に示すように、前記ロールペーパーガイド１６の取り付け部２５を下ケース１９の底部２６に取り付けた状態で、ロールペーパーガイド１６がその取り付け部２５側の軸芯Ｑ（この軸芯Ｑは、ロール状の印画紙２の軸芯Ｏに沿い、かつ、固定状態のボルト２８を通る）周りに浮き上がり回転するのを係合溝２９と三角係合凸部３０との係合で防止可能に、前記係合溝２９と三角係合凸部３０とを、ロール状の印画紙２の軸芯方向に沿う方向から見て、下ケース１９の底面に対して傾斜した方向で互いに係合するように形成してある。
【００５１】
図３，図４に示すように、前記上ケース２０を下ケース１９に対して開放するとともに、下ケース１９をその底部２６側を下にした巻き芯装着用姿勢に設定した状態で、巻き芯１８を下ケース１９側の嵌合凹部４３に案内可能な案内面４０をロールペーパーガイド１６に形成してある。
【００５２】
上記のように、巻き芯装着用姿勢に設定した状態で、巻き芯１８の軸芯方向に対応する方向から見て（巻き芯１８の軸芯はロール状の印画紙２の軸芯Ｏと同一軸芯である）、前記案内面４０は、その上端側ほど下ケース１９の嵌合凹部４３の横外方側に対応する側に離れて位置する傾斜面に形成してある。
また、前記嵌合凹部４３を挟んでロールペーパーガイド１６の案内面４０とは反対側の下ケース１９の分割部に、巻き芯１８を下ケース１９側の嵌合凹部４３に案内可能な補助案内面４１を形成し、前記巻き芯装着用姿勢に設定した状態で、巻き芯１８の軸芯方向に対応する方向から見て、補助案内面４１は、その上端側ほど下ケース１９の嵌合凹部４３の横外方側に対応する側に離れて位置する傾斜面に形成してある。
【００５３】
前記案内面４０と補助案内面４１とを上記のような傾斜面に形成してあるから、オペレータが第１マガジン５にロール状の印画紙２を装着する場合、印画紙２を装着した巻き芯１８をオペレータが下ケース１９の嵌合凹部４３の上方側から下ろしたときに、巻き芯１８が嵌合凹部４３の真上から横方向に位置ずれすると、ロールペーパーガイド１６側の案内面４０か、下ケース１９側の補助案内面４１に当たりやすい。
【００５４】
前記巻き芯１８が前記案内面４０か補助案内面４１に当たると、そのまま巻き芯１８を案内面４０か補助案内面４１に案内させて、下ケース１９側の嵌合凹部４３に送り込むことができる。
【００５５】
［別実施形態］
上記の実施形態におけるロールペーパーガイド部分２７以外のロールペーパーガイド部分を前記ガイドベース１５に支持させてあってもよい。
【００５６】
前記ロールペーパーガイド部分２７を下ケース１９の内壁に直接支持させてあってもよい。
【００５７】
前記感光材料は印画紙以外のものであってもよい。
【図面の簡単な説明】
【図１】写真処理装置の縦断正面図
【図２】マガジンの縦断面図
【図３】開放状態のマガジンの縦断面図
【図４】マガジンに巻き芯を装着している状態を示す図
【図５】ロールペーパーガイドの取り付け構造を示す平面図
【図６】三角係合凸部と係合溝との係合構造を示す図
【図７】ロールペーパーガイドを示す斜視図
【符号の説明】
２            感光材料
１２            巻き芯支持部
１６            位置決め作用体
１７            中空芯材
１８            巻き芯
１９            第２ケース
２０            第１ケース
２５            位置決め作用体の底部
２６            マガジン本体の底部
２７            位置決め作用体部分
３６            マガジン本体
４０            案内面
４１            補助案内面
４３            巻き芯支持部部分
【図１】
0003724280.tif 000002
【図２】
0003724280.tif 000003
【図３】
0003724280.tif 000004
【図４】
0003724280.tif 000005
【図５】
0003724280.tif 000006
【図６】
0003724280.tif 000007
【図７】
0003724280.tif 000008